【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
背もたれとこれに取付けたハンガー及びヘッドレストとを有しており、
前記背もたれは、着座者の体圧を支持するサポート体が直接に又は間接的に取付けられたバックフレームを有しており、前記バックフレームは、上下長手の左右サイドメンバーとその上端に繋がった左右横長のアッパーメンバーとを有する形態である一方、
前記ハンガーは、前記バックフレームのサイドメンバーに固定された左右の足体と、前記足体の上端に設けた左右横長のバー部とを有しており、前記ヘッドレストは、前記バックフレームのアッパーメンバーに取付けられている、
椅子。
【請求項２】
ハンガー及びヘッドレストが取付けられ得る背もたれを有しており、
前記背もたれは、着座者の体圧を支持するサポート体が直接に又は間接的に取付けられたバックフレームを有しており、前記バックフレームは、上下長手の左右サイドメンバーとその上端に繋がった左右横長のアッパーメンバーとを有する形態である一方、
前記ハンガーは、左右の足体の上端に左右横長のバー部を設けた形態であって、前記バックフレームのサイドメンバーに前記足体の固定部が形成されており、前記ヘッドレストは、その下部に設けたクランプ体で前記バックフレームのアッパーメンバーを上下から挟持することにより、前記バックフレームのアッパーメンバーに取付けられる、
椅子。
【手続補正２】
【補正対象書類名】明細書
【補正対象項目名】全文
【補正方法】変更
【補正の内容】
【発明の詳細な説明】
【発明の名称】椅子
【技術分野】
【０００１】
本願発明は、背もたれにハンガー及びヘッドレストを取り付けた（取付けできる）椅子に関するものである。
【背景技術】
【０００２】
椅子において、背もたれに衣服やタオルなどを掛けるハンガーを取り付けることが行われている。ハンガーの形態は様々であり、また、背もたれへのハンガーの取付け構造も様々である。例えば特許文献１，２には、正面視略四角形のバックフレームを有する背もたれにハンガーを取り付ける構造として、バックフレームの上端を構成する左右横長のアッパーメンバーにハンガーを固定することが開示されている。
【０００３】
特許文献１，２とも、着座者の体圧はメッシュ材のような可撓性を有するシート材で受けるようになっており、特許文献１では、背もたれが取付けられるバックフレームの手前に背フレームを配置し、この背フレームにシート材を張っている。そして、ハンガーにおける足体の下端部をバックフレームにおけるアッパーメンバーの前面に重ねて、アッパーメンバーに後ろから重ねた取付部材を足体に締結している。すなわち、足体の下端部と取付部材とによって、アッパーメンバーを前後から挟み付けている。
【０００４】
他方、特許文献２では、シート材はバックフレームに直接に取付けられている。すなわち、バックフレームの外周面に長溝を形成する一方、シート材の外周縁にテープ状の縁部材を固定し、縁部材を長溝に嵌め込むことでシート材をバックフレームに取り付けている。そして、ハンガーの足体をバックフレームのアッパーメンバーに上から重ねて、アッパーメンバーに下方から重なった挟持片を足部にねじで締結している。つまり、特許文献２では、バックフレームのアッパーメンバーをハンガーの足体と挟持片とで上下から挟み付けている。
【先行技術文献】
【特許文献】
【０００５】
【特許文献１】特開２００４−３５１１１８号公報
【特許文献２】特開２００８−１０４５２１号公報
【発明の概要】
【発明が解決しようとする課題】
【０００６】
特許文献１では、バックフレームはその前面も露出しているため、アッパーメンバーをハンガーと取付部材とで前後から挟持しているが、バックフレームにシート材を直接に取り付けている場合はこのような構造は採用できない。従って、適用対象が限られて汎用性が低いという問題がある。
【０００７】
他方、特許文献２では、バックフレームにシート材を取り付けられていてもハンガーを取り付けることができるが、着座者の身体（背中）がハンガーの足体に当たるおそれがあるという問題がある。また、ハンガーをしっかりと固定するにはバックフレームのアッパーメンバーはできるだけ太くせねばならず、すると美感の悪化にもつながりかねない。
【０００８】
本願発明は、このような現状を改善すべく成されたものである。
【課題を解決するための手段】
【０００９】
請求項１の発明に係る椅子は、背もたれとこれに取付けたハンガー及びヘッドレストとを有しており、前記背もたれは、着座者の体圧を支持するサポート体が直接に又は間接的に取付けられたバックフレームを有しており、前記バックフレームは、上下長手の左右サイドメンバーとその上端に繋がった左右横長のアッパーメンバーとを有する形態である一方、前記ハンガーは、前記バックフレームのサイドメンバーに固定された左右の足体と、前記足体の上端に設けた左右横長のバー部とを有しており、前記ヘッドレストは、前記バックフレームのアッパーメンバーに取付けられている。
【００１０】
請求項２の発明に係る椅子は、ハンガー及びヘッドレストが取付けられ得る背もたれを有しており、前記背もたれは、着座者の体圧を支持するサポート体が直接に又は間接的に取付けられたバックフレームを有しており、前記バックフレームは、上下長手の左右サイドメンバーとその上端に繋がった左右横長のアッパーメンバーとを有する形態である一方、前記ハンガーは、左右の足体の上端に左右横長のバー部を設けた形態であって、前記バックフレームのサイドメンバーに前記足体の固定部が形成されており、前記ヘッドレストは、その下部に設けたクランプ体で前記バックフレームのアッパーメンバーを上下から挟持することにより、前記バックフレームのアッパーメンバーに取付けられる。
【発明の効果】
【００１１】
本願発明では、背もたれにハンガーとヘッドレストとを併せて取り付けることができる。従って、ハンガーの機能とヘッドレストの機能とを享有できる。
そして、ハンガーはバックフレームのサイドメンバーに固定するものであるため、バックフレームの前面にシート状等のサポート体が重なった構造であっても適用できる。従って、適用対象が広くて汎用性に優れている。また、バックフレームのアッパーメンバーとハンガーとの間に間隔を空けることも容易に実現できるため、人の身体がハンガーに当たることも的確に防止できる。従って、使い勝手もよい。
また、ヘッドレストはアッパーメンバーに固定してハンガーはサイドメンバーに固定しているため、ヘッドレストがアッパーメンバーの背面に沿って左右に長く延びていても、ハンガーの取付けには支障はない。
【００１２】
ハンガーの足体は、例えばサイドメンバーの後面に固定することも可能であるが、実施形態のようにサイドメンバーの内側面に固定すると、ハンガーの足体が目立つことを防止できるため、美感に優れている。特に、実施形態のようにサイドメンバーに凹所を設けてこれにハンガーの足体を嵌合させると、ハンガーの固定部を隠すことができて美感を一層高め得ると共に、足体がしっかりと位置決めされるため高い固定強度を確保できる利点がある。
【図面の簡単な説明】
【００１３】
【図１】実施形態に係る椅子の外観図であり、（Ａ）はハンガーを取付けていない状態での斜視図、（Ｂ）はハンガーを取付けた状態での側面図である。
【図２】正面図である。
【図３】（Ａ）はハンガーを前から見た斜視図、（Ｂ）はハンガーを後ろから見た斜視図である。
【図４】サイドメンバーを破断して示した分離斜視図である。
【図５】（Ａ）はバックフレームの部分斜視図、（Ｂ）はハンガーの側面図、（Ｃ）はハンガーを取り付けた状態での（Ａ）のＣ−Ｃ視断面図である。
【図６】アッパーメンバーにヘッドレストを取付けた状態を示す図で、（Ａ）は正面図、（Ｂ）は平面図、（Ｃ）は縦断側面図である。
【図７】ヘッドレストの取付け構造を示す図で、（Ａ）は上前方から見た破断斜視図、（Ｂ）は後ろ下方から見た破断斜視図、（Ｃ）は前下方から見た破断斜視図である。
【図８】（Ａ）はアッパーメンバーの破断斜視図、（Ｂ）はヘッドレストの下部を上前方から見た斜視図、（Ｃ）はヘッドレストの下部を下方から見た斜視図である。
【発明を実施するための形態】
【００１４】
次に、本願発明の実施形態を図面に基づいて説明する。本実施形態は、事務用に多用されている回転椅子に適用している。以下の説明では、方向を特定するために「前後」「左右」の文言を使用するが、これら前後・左右の方向は、普通に着座した状態の人の向きを基準にしている。正面図は、着座した人と対向した方向から見た図である。
【００１５】
(1).椅子の概要・ハンガーとその取付け構造
図１，２に示すように、椅子は、主要要素として、脚支柱２（ガスシリンダ）を有する脚装置１、脚支柱２の上端に固定されたベース３、ベース３の上方に配置された座４、背もたれ５を備えている。背もたれ５に樹脂製のハンガー６を取付けている。脚１は放射状に延びる複数本の枝足（一部しか表示していない）を備えており、各枝足の先端にはキャスタを設けている。ベース３に、背支持フレーム７が後傾動自在に連結されている。
【００１６】
背もたれ５は、バックフレーム８にメッシュ状で可撓性を有するサポートシート９を張った構造になっている。バックフレーム８は樹脂の成形品であり、上下方向に長く延びる左右サイドメンバー１０と、左右サイドメンバー１０の上端に繋がったアッパーメンバー１１と、左右サイドメンバー１０の下端に繋がったロアメンバー（図示せず）とから成っている。従って、バックフレーム８は、正面視で略四角形の形態を成している。そして、背支持フレーム７の後端に支柱部７ａを設け、この支柱部７ａに、バックフレーム８のサイドメンバー１０をねじで締結している。
【００１７】
例えば図５（Ａ）（Ｃ）に示すように、バックフレーム８の外周（各メンバーの外面）には長溝１２が形成されている一方、サポートシート９の外周縁には帯状の縁部材１３が固定されており、縁部材１３を長溝１２に嵌め入れている。従って、サポートシート９はバックフレーム８の前端面に重なっている。
【００１８】
図２，３のとおり、ハンガー６は、衣服やタオルなどの物品を掛ける左右横長のバー部１５と、このバー部１５から下向きに延びる左右一対の足体１６とで構成されている。足体１６は、バー部１５の左右中間に近い部分から下向きに延びて、それから互いの間隔が広がるように左右外側に広がっており、例えば図４に示すように、足体１６の下端部が、バックフレーム８におけるサイドメンバー１０の内側面にビス１７で固定されている。ハンガー６の足体１６は、サイドメンバー１０のうち上端に近い部分に固定されている。
【００１９】
図４及び図５（Ｃ）に明瞭に示すように、バックフレーム８におけるサイドメンバー１０の内側面には、その上側寄りの範囲に、前方及び内側に開口した凹所１８が形成されており、この凹所１８の下部にハンガー６の足体１６が固定されている。凹所１８は内側面１８ａと背面１８ｂとを有しており、背面１８ｂは、サイドメンバー１０の内側縁１８ｃに連続している。
【００２０】
一方、ハンガー６における足体１６の下端面は、凹所１８にきっちり嵌まると共にサイドメンバー１０の内側縁１８ｃにも重なるように形成されている。すなわち、足体１６の下端面は、凹所１８の内側面１８ａに重なる第１面１６ａと、凹所１８の背面１８ｂに重なる第２面１６ｂと、サイドメンバー１０の内側縁１８ｃに重なる第３面１６ｃとを有している。このため、全体として段違いのような外観を呈している。
【００２１】
そして、バックフレーム８のサイドメンバー１０に、前向きに開口したナット保持穴１９と、ナット保持穴１９に連通して凹所１８の内側面１８ａに開口したビス穴２０とを設けて、ナット保持穴１９にナット２１を回転不能に嵌め込んでいる。他方、ハンガー６における足体１６の下端部には、ビス１７が嵌まる取付け穴２２を設けている。ハンガー６の足体１６は平面視で内側に行くほど後ろにずれるように傾斜している一方、ビス１７はおおむね左右横長の姿勢になっており、そこで、足体１６の前面に座ぐり溝２３を形成している。
【００２２】
足体１６の下端面のうち取付け穴２２の下方部には、第１面１６ａと第２面１６ｂとに跨がって延びる突起２４を設けている一方、サイドメンバー１０の凹所１８には、突起２４が嵌まる係合溝２５を形成している。足体１６の下端面がサイドメンバー１０の凹所１８と内側縁１８ｃとに重なっていることに加えて、足体１６の突起２４がサイドメンバー１０の係合溝２５に嵌合しているため、足体１６は、サイドメンバー１０に対してしっかりと固定されている。
【００２３】
また、既述のように、ビス１７の頭は、足体１６の前面に形成した座ぐり溝２３に位置しており、このため、ビス１７の頭を椅子の後ろから視認することはできない。他方、足体１６の手前にはサポートシート９が配置されているため、ビス１７の頭は前からも視認できない（或いは視認し難い。）。このため、ハンガー６は、恰もサイドメンバー１０に一体成形されているかのような外観を呈することができ、このため美感に優れている。また、ナット保持穴１９も全く又は殆ど視認できず、この面でも美感に優れている。
【００２４】
ハンガー６の足体１６は、複数本のビスでサイドメンバー１０に固定することも可能である。また、突起２４と係合溝２５との組み合わせのような位置決め手段は複数対設けることも可能である。更に、凹所１８は、内側のみに開口した形態（底面と前面と背面とを有する形態）にすることも可能である。また、左右の足体１６を上部において１本に収束して、これをバー部１５に連接することも可能である。
【００２５】
(2).ヘッドレストの取付け構造
図６以下の図面に示すように、バックフレーム８のアッパーメンバー１１にヘッドレスト２７を取り付けることが可能である。この点を次に説明する。ヘッドレスト２７は樹脂製の基板２８を有している。基板２８は、アッパーメンバー１１の左右長さと同じ程度の左右巾寸法に設定されており（左右巾は任意に設定できる）、平面視では、前向き凹状に湾曲して側面視では前向き凸状に湾曲している。そして、図６（Ｃ）に示すように、基板２８の前面にクッション材２９を張っている。クッション材２９は、クロス等の表皮材で覆われている。
【００２６】
基板２８の下部はアッパーメンバー１１の後ろに位置しており、その下端には、アッパーメンバー１１の下側に位置した前向き張り出し部３０を前向きに突設している。前向き張り出し部３０のうち左右中間部に、アッパーメンバー１１に下方から嵌合するセンター受け部３１を設け、前向き張り出し部３０のうち左右両端寄り部位には、アッパーメンバー１１が載るサイド受け部３２を設けている。
【００２７】
センター受け部３１には、アッパーメンバー１１を嵌合させるため、側面視で上向きに開口した係合溝３３を設けている。一方、アッパーメンバー１１には、サイド受け部３２が嵌合する左右一対の切欠き溝３４を形成しており、このため、基板２８が前後及び左右にずれ不能に保持されている。
【００２８】
基板２８の下部及び前向き張り出し部３０には、センター受け部３１とサイド受け部３２との間に位置してアッパーメンバー１１の後面に重なるリア支持部３５を一体に設けており、リア支持部３５にはビス穴３６が上下に貫通している。そして、リア支持部３５の箇所においてアッパーメンバー１１に上からクランプ体３７を重ねており、クランプ体３７に形成したナット保持穴３８にナット（図示せず）を回転不能に嵌め込み、ビス穴３６に下方から挿通したビス（図示せず）をナットにねじ込むことにより、クランプ体３７と前向き張り出し部３０とでアッパーメンバー１１を挟持している。
【００２９】
例えば図７（Ａ）から理解できるように、クランプ体３７には、アッパーメンバー１１に上から嵌合する凹所３９が形成されており、かつ、凹所３９には、アッパーメンバー１１の長溝１２に嵌まるリブ４０を形成している。リブ４０は、サポートシート９を押圧した状態で長溝１２に嵌まることになる。
【００３０】
さて、特許文献２では、アッパーメンバーを上下から挟持しているが、特許文献２ではハンガーの左右位置を位置決めする機能は備えておらず、このため、ハンガーの左右位置が正確に位置決めされないおそれがある。また、特許文献２は、アッパーメンバーをサポートシートの後ろ側において挟持するものであるため、挟持強度を高くできない可能性がある。
【００３１】
これに対して本実施形態では、アッパーメンバー１１に設けた切欠き溝３４で左右位置が正確に位置決めされ、また、アッパーメンバー１１の全体を上下から挟持するものであるため、固定強度にも優れている。そして、本実施形態では、ハンガー６とヘッドレスト２７とをバックフレーム８に併せて取り付けることができるが、ハンガー６はサイドメンバー１０に固定しているため、ヘッドレスト２７がアッパーメンバー１１の背面に沿って左右に長く延びていても、ハンガー６の取付けには全く支障はない。この点も本実施形態の利点の一つであると言える。
【００３２】
本願発明は、特許文献１のようにバックフレームで背フレームを支持しているタイプの椅子にも適用できる。また、サポート体は、メッシュのようなサポートシートに限定されるものではなく、サポート体として樹脂製背板（インナーシェル）を使用することも可能である（この場合は前面にクッション材を張ってもよい。）。
【産業上の利用可能性】
【００３３】
本願発明は、椅子に適用して有用性を発揮する。従って産業上利用できる。
【符号の説明】
【００３４】
５  背もたれ
６  ハンガー
８  バックフレーム
９  サポート体の一例としてのサポートシート
１０  サイドメンバー
１１  アッパーメンバー
１５  ハンガーを構成するバー部
１６  ハンガーを構成する足体
１７  ビス
１８  サイドメンバーの凹所
２７  ヘッドレスト
【手続補正３】
【補正対象書類名】図面
【補正対象項目名】図５
【補正方法】変更
【補正の内容】
【図５】
2015134289.tif 000001
【手続補正４】
【補正対象書類名】図面
【補正対象項目名】図６
【補正方法】変更
【補正の内容】
【図６】
2015134289.tif 000002
【手続補正５】
【補正対象書類名】図面
【補正対象項目名】図７
【補正方法】変更
【補正の内容】
【図７】
2015134289.tif 000003
【手続補正６】
【補正対象書類名】図面
【補正対象項目名】図８
【補正方法】変更
【補正の内容】
【図８】
2015134289.tif 000004